(57)【特許請求の範囲】
【請求項１】
１つ又は複数の光源モジュールと、前面に前記光源モジュールが取り付けられる取付板と、透光性を有する材料で形成され、前記光源モジュールを前方から覆うように前記取付板の前記前面に取り付けられるカバーとを有し、
前記光源モジュールは、長尺の基板と、前記基板の前面に実装されている複数の固体発光素子と、前記基板の長手方向の一方の端部の前記前面に実装されている１つ又は複数のコネクタとを備え、前記コネクタは、前記基板に形成されている導体を介して前記複数の固体発光素子と電気的に接続されており、
前記カバーは、前方から見て前記光源モジュールを覆う長尺のカバー本体と、前記カバー本体の長手方向の端に設けられているカバーエンドとを有し、
前記カバーエンドは、前記基板の厚み方向に沿って起立し、かつ、後端が前記基板の前記前面に接触している隔壁を有し、
前記コネクタが実装されている前記基板の前記端部は、前記取付板と前記カバーで囲まれている空間の外に配置されており、
前記カバーエンドは、前記隔壁の後端から突出する突出片を有し、前記突出片は、板状に形成されて厚み方向の片側の面で前記基板の前記前面と接触していることを特徴とする照明器具。
【請求項２】
１つ又は複数の光源モジュールと、前面に前記光源モジュールが取り付けられる取付板と、透光性を有する材料で形成され、前記光源モジュールを前方から覆うように前記取付板の前記前面に取り付けられるカバーとを有し、
前記光源モジュールは、長尺の基板と、前記基板の前面に実装されている複数の固体発光素子と、前記基板の長手方向の一方の端部の前記前面に実装されている１つ又は複数のコネクタとを備え、前記コネクタは、前記基板に形成されている導体を介して前記複数の固体発光素子と電気的に接続されており、
前記カバーは、前方から見て前記光源モジュールを覆う長尺のカバー本体と、前記カバー本体の長手方向の端に設けられているカバーエンドとを有し、
前記カバーエンドは、前記基板の厚み方向に沿って起立し、かつ、後端が前記基板の前記前面に接触している隔壁を有し、
前記コネクタが実装されている前記基板の前記端部は、前記取付板と前記カバーで囲まれている空間の外に配置されており、
前記カバーエンドは、前記カバー本体の長手方向の端面を塞ぐ主壁部を有しており、前記隔壁は、前記固体発光素子から放射されて前記主壁部に直接到達する光を遮らない高さに形成されていることを特徴とする照明器具。
【請求項３】
前記カバーエンドは、前記隔壁と繋がって前記コネクタの周囲を囲う壁を有していることを特徴とする請求項１又は２記載の照明器具。
【請求項４】
前記コネクタは、給電用の電線と電気的に接続されており、
前記カバーエンドは、前記電線を保持する保持部を有していることを特徴とする請求項１〜３のいずれか１項に記載の照明器具。
【請求項５】
前記カバーエンドは、前記カバー本体の長手方向の端面を塞ぐ主壁部を有しており、前記隔壁は、前記固体発光素子から放射されて前記主壁部に直接到達する光を遮らない高さに形成されていることを特徴とする請求項１記載の照明器具。
【発明の詳細な説明】
【技術分野】
【０００１】
本発明は、照明器具に関し、より詳細には、基板に固体発光素子が実装されている光源モジュールを有している照明器具に関する。
【背景技術】
【０００２】
従来例として、特許文献１記載の照明器具を例示する。特許文献１記載の照明器具（以下、従来例という）は、矩形箱状の本体と、本体に対して定位置に配置されたＬＥＤと、本体の一面に突出する形に設けられ表面にＬＥＤを配置するＬＥＤ取付台と、ＬＥＤを覆う透光性を有したカバーとを備える。照明器具は、固定用ねじが本体の取付台設置壁の内面側からねじ挿通孔に挿通され、ＬＥＤ取付台の底面に開口したねじ止め用孔に螺合されることにより、ＬＥＤ取付台が本体に結合される。
【０００３】
カバーは、ポリカーボネートなど透光性材料により形成されており、円筒状のカバー本体と、カバー本体の軸線に沿う方向の両端の開口を塞ぐ円形のカバーエンドとを備える。カバー本体の一部には、軸線に沿う方向に全長に亘る貫通窓が形成されており、軸線に沿う方向に直交する断面はＣ字状になる。
【０００４】
カバーエンドは、外径がカバー本体の外径と略等しい円板状のエンド部外壁を備える。エンド部外壁の厚み方向の一面には、エンド部外壁と同軸で外径がカバー本体の内径よりも小さい円板状のエンド部内壁が一体に形成されている。また、エンド部外壁の外周一端には、エンド部内壁に沿って厚み方向に突起した突出片が形成される。カバーエンドは、エンド部内壁がカバー本体の軸線に沿う方向の両端の開口に挿入され、エンド部外壁がカバー本体の両端縁に当接する状態で固定される。
【先行技術文献】
【特許文献】
【０００５】
【特許文献１】特開２０１２−１７４５５２号公報
【発明の概要】
【発明が解決しようとする課題】
【０００６】
ところで、特許文献１記載の従来例のように、光源であるＬＥＤがカバー本体とカバーエンドからなるカバー内に収容されている場合、ＬＥＤへの給電用の電線をカバーの外へ引き出すための構造（通線孔など）がカバーに必要となることがある。しかしながら、カバー本体又はカバーエンドに通線孔が設けられた場合、通線孔を通して虫などの異物がカバー内に進入する可能性がある。
【０００７】
本発明は、上記課題に鑑みてなされており、カバー内への異物の進入を防止することを目的とする。
【課題を解決するための手段】
【０００８】
本発明の照明器具は、１つ又は複数の光源モジュールと、前面に前記光源モジュールが取り付けられる取付板と、透光性を有する材料で形成され、前記光源モジュールを前方から覆うように前記取付板の前記前面に取り付けられるカバーとを有し、前記光源モジュールは、長尺の基板と、前記基板の前面に実装されている複数の固体発光素子と、前記基板の長手方向の一方の端部の前記前面に実装されている１つ又は複数のコネクタとを備え、前記コネクタは、前記基板に形成されている導体を介して前記複数の固体発光素子と電気的に接続されており、前記カバーは、前方から見て前記光源モジュールを覆う長尺のカバー本体と、前記カバー本体の長手方向の端に設けられているカバーエンドとを有し、前記カバーエンドは、前記基板の厚み方向に沿って起立し、かつ、後端が前記基板の前記前面に接触している隔壁を有し、前記コネクタが実装されている前記基板の前記端部は、前記取付板と前記カバーで囲まれている空間の外に配置されており、前記カバーエンドは、前記隔壁の後端から突出する突出片を有し、前記突出片は、板状に形成されて厚み方向の片側の面で前記基板の前記前面と接触していることを特徴とする。
また、本発明の照明器具は、１つ又は複数の光源モジュールと、前面に前記光源モジュールが取り付けられる取付板と、透光性を有する材料で形成され、前記光源モジュールを前方から覆うように前記取付板の前記前面に取り付けられるカバーとを有し、前記光源モジュールは、長尺の基板と、前記基板の前面に実装されている複数の固体発光素子と、前記基板の長手方向の一方の端部の前記前面に実装されている１つ又は複数のコネクタとを備え、前記コネクタは、前記基板に形成されている導体を介して前記複数の固体発光素子と電気的に接続されており、前記カバーは、前方から見て前記光源モジュールを覆う長尺のカバー本体と、前記カバー本体の長手方向の端に設けられているカバーエンドとを有し、前記カバーエンドは、前記基板の厚み方向に沿って起立し、かつ、後端が前記基板の前記前面に接触している隔壁を有し、前記コネクタが実装されている前記基板の前記端部は、前記取付板と前記カバーで囲まれている空間の外に配置されており、前記カバーエンドは、前記カバー本体の長手方向の端面を塞ぐ主壁部を有しており、前記隔壁は、前記固体発光素子から放射されて前記主壁部に直接到達する光を遮らない高さに形成されていることを特徴とする。
【発明の効果】
【０００９】
本発明の照明器具は、カバー内への異物の進入を防止することができるという効果がある。
【図面の簡単な説明】
【００１０】
【図１】本発明の実施形態に係る照明器具の斜視図である。
【図２】本発明の実施形態に係る照明器具の下方から見た分解斜視図である。
【図３】本発明の実施形態に係る照明器具の上方から見た分解斜視図である。
【図４】本発明の実施形態に係る照明器具のカバーエンドを示し、上方から見た斜視図である。
【図５】本発明の実施形態に係る照明器具のカバーエンドを示し、下方から見た斜視図である。
【図６】本発明の実施形態に係る照明器具の取付板、光源モジュール及びカバーエンドの一部省略した斜視図である。
【図７】本発明の実施形態に係る照明器具の取付板、光源モジュール及びカバーエンドの一部省略した正面図である。
【図８】本発明の実施形態に係る照明器具の光源ユニットを示す一部省略した背面図である。
【図９】本発明の実施形態に係る照明器具の光源ユニット及び取付板を示す一部省略した断面図である。
【図１０】本発明の実施形態に係る照明器具の光源モジュール、取付板及びカバーエンドを示す一部省略した斜視図である。
【図１１】本発明の実施形態に係る照明器具の光源モジュール、取付板及びカバーエンドを示す一部省略した断面斜視図である。
【発明を実施するための形態】
【００１１】
以下、本発明の実施形態に係る照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本発明の実施形態に係る照明器具Ｘ（以下、照明器具Ｘという）は、図１〜図３に示すように器具本体１と、器具本体１に対して着脱自在に取り付けられる点灯ユニット２とを備える。また、以下の説明では、特に断りのない限り、図１に示す向きにおいて、器具本体１の高さ方向を上下方向、光源ユニット３の長手方向を左右方向、光源ユニット３と反射部材７が並ぶ方向を前後方向と規定する。つまり、器具本体１及び光源ユニット３の前方が下方となり、器具本体１及び光源ユニット３の後方が上方となる。
【００１３】
器具本体１は、図２及び図３に示すように、矩形板状の本体部１０と、本体部１０の長手方向（前後方向）における両端から下向きに垂下されている一対の脚部１１とを有している。ただし、本体部１０と一対の脚部１１とは、鋼板などの金属板が曲げ加工されることで一体に形成されている。本体部１０は、給電用の電源線が挿通される挿通孔１００が設けられている（図３参照）。挿通孔１００に挿通される電源線は、本体部１０の下面に固定される端子台１２に電気的に接続される（図２参照）。さらに、本体部１０は、建物の躯体に埋め込まれている吊りボルトが挿通される複数（図示例では３つ）のボルト挿通孔１０１が前後方向に一列に並べて設けられている（図３参照）。器具本体１は、天井材の埋込孔に挿入され、本体部１０のボルト挿通孔１０１に挿通される吊りボルトにナットが締め付けられて吊りボルトに固定される。なお、本体部１０は、長手方向の両端に、おおよそ台形状の引掛孔１０２がそれぞれ厚み方向（上下方向）に貫通するように設けられている（図３参照）。
【００１４】
点灯ユニット２は、図１〜図３に示すように、複数（図示例では３つ）の光源ユニット３、電源装置４、取付板５、無線通信装置６、反射部材７、取付枠８などを備えている。
【００１５】
取付板５は、鋼板などの金属板によって矩形板状に形成される。３つの光源ユニット３は、長手方向に沿って互いに平行となり、かつ、隣の光源ユニット３との間隔が何れも等しくなるように並べた状態で取付板５の下面に固定される（図１及び図２参照）。
【００１６】
反射部材７は、隣り合う光源ユニット３の間に生じる２箇所のスペースにそれぞれ配置される（図１及び図２参照）。これらの反射部材７は、一対の反射板７０と、各反射板７０の上端から上向きに延出された一対の側板７１と、一対の側板７１の先端（上端）から、互いに近付く向きに突出する一対の固定片７２とを有している（図２及び図３参照）。反射板７０は、長方形状の金属板が曲げ加工されて構成されている。一対の反射板７０は、長手方向に沿った一方の端縁同士が繋がっており、長手方向（左右方向）から見てＶ字状に形成されている。一対の固定片７２は、長手方向の中央及び両端近傍に、それぞれねじ孔（雌ねじ）７２０が設けられている（図３参照）。
【００１７】
電源装置４は、プリント配線板に電子部品が実装されて構成される電源回路と、前記電源回路を収容するケース４２とを有する。電源回路は、例えば、電源線を介して供給される交流電圧を昇圧する昇圧チョッパ回路、昇圧チョッパ回路の出力電圧（直流電圧）を降圧する降圧チョッパ回路、昇圧チョッパ回路及び降圧チョッパ回路を制御する制御回路などで構成されることが好ましい。ケース４２は、図３に示すように、金属製の板材によって長尺の箱状に形成されている。電源装置４は、ケース４２の長手方向の両端部分が取付板５の上面にねじ止めされることによって、取付板５に取り付けられている（図３参照）。
【００１８】
無線通信装置６は、図３に示すように、合成樹脂製の筐体６１、信号ケーブル６２、プラグコネクタ６３などを備えている。無線通信装置６は、筐体６１内に収容されているアンテナで受信する無線信号（例えば、９２０ＭＨｚ帯の電波を媒体とする無線信号）から制御指令を取得するように構成されている。なお、無線信号は、送信機から送信され、照明器具Ｘの点灯・消灯や調光などを行うための制御指令を伝送している。無線通信装置６は、信号ケーブル６２並びにプラグコネクタ６３を介して、無線信号から取得した制御指令を電源装置４の制御回路へ伝送するように構成されている。なお、プラグコネクタ６３は、電源装置４に設けられているレセプタクルコネクタ（図示せず）と電気的に接続される。電源装置４の制御回路は、無線通信装置６から伝送されてくる制御指令に応じて、昇圧チョッパ回路及び降圧チョッパ回路を制御して光源ユニット３を点灯・消灯及び調光するように構成されている。
【００１９】
無線通信装置６は、取付板５の上面に取り付けられている（図３参照）。取付板５には、無線通信装置６の筐体６１の一部（アンテナが収容されているアンテナ収容部６１１２）が挿通される挿通孔５０２と、２つのねじ挿通孔とが設けられている（図２参照）。無線通信装置６の筐体６１は、アンテナ収容部６１１２が挿通孔５０２に挿通された状態で、２つのねじ挿通孔に挿通される２本のねじが、それぞれ筐体６１にねじ込まれることで取付板５の上面に固定されている。
【００２０】
取付枠８は、図２及び図３に示すように、矩形枠状の枠本体８０と、２つの固定ばね８１とを備えている。枠本体８０は、矩形の枠状に形成されている。また、枠本体８０は、上面から上向きに立ち上がる周壁８００が全周に渡って設けられている。また、周壁８００の左右両側の上端には、一対の固定片８０１がそれぞれ内向きに突出している。そして、取付枠８は、２対の固定片８０１がそれぞれ取付板５にねじ止めされることで取付板５と結合されている。
【００２１】
２つの固定ばね８１は、いずれも金属製の線材で構成されたねじりコイルばねである。２つの固定ばね８１は、コイル８１０と、コイル８１０の両端から互いに離れる向きに伸びた一対の腕８１１とを、それぞれ有している。ただし、一対の腕８１１は、先端部分がほぼ直角に曲げられている。これらの固定ばね８１は、２つの連結金具８２によって取付枠８の前後両側の周壁８００にそれぞれ取り付けられている（図３参照）。取付枠８は、２つの固定ばね８１のそれぞれの腕８１１が器具本体１の引掛孔１０２にそれぞれ挿入され、コイル８１０のばね力によって一対の腕８１１が引掛孔１０２の周縁に引っ掛かることにより、器具本体１に取り付けられる（図１参照）。
【００２２】
３つの光源ユニット３は、光源モジュール３０と、カバー３１とをそれぞれ備えている（図２及び図３参照）。光源モジュール３０は、複数の固体発光素子（ＬＥＤ３００）と、これら複数のＬＥＤ３００が下面に実装されている基板３０１と、複数（図示例では４つ）のコネクタ３０２とをそれぞれ有している。基板３０１は、長尺の矩形平板状に形成されている。複数個のＬＥＤ３００は、基板３０１の下面に長手方向に沿って等間隔に並ぶように配置されて実装されている。また、基板３０１の下面には、長手方向（左右方向）の両端にコネクタ３０２がそれぞれ２つずつ実装されている。これらのコネクタ３０２は、基板３０１に形成されている導体（銅はく）を介してＬＥＤ３００と電気的に接続されており、電源装置４からの出力線に結線されたプラグと抜き差し可能に接続される。基板３０１は、取付板５に設けられている複数の固定部５０４によって取付板５に固定されている（図２参照）。なお、これら複数の固定部５０４は、取付板５が切り起こされることで鉤形に形成され、先端部分が基板３０１に近付く向きに曲げられることにより、取付板５の下面との間に基板３０１を挟み込んで固定している。
【００２３】
カバー３１は、図２及び図３に示すように、カバー本体３２と、２つのカバーエンド３３とを有している。カバー本体３２は、アクリル樹脂やポリカーボネート樹脂などの透光性を有する合成樹脂により、主部３２０と、一対の側壁部３２１と、一対の鍔部３２２とが一体に形成されている。主部３２０は、おおよそ半円筒形状に形成されている。一対の側壁部３２１は、長尺な矩形板状であって、主部３２０の長手方向に沿った両側の端縁より上向きに突出するように形成されている。一対の鍔部３２２は、一対の側壁部３２１の先端（上端）から互いに離れる向きに突出するように形成されている（図２及び図３参照）。なお、一対の鍔部３２２は、長手方向の中央及び両端近傍に、半円形状のねじ挿通孔３２３がそれぞれ設けられている。さらに、一対の鍔部３２２は、中央のねじ挿通孔３２３と両端のねじ挿通孔３２３との間に、一対の溝がそれぞれ設けられている。そして、こられ一対の溝に挟まれた部分が、それぞれ差込部３２４となる。カバー本体３２は、取付板５に設けられている複数の支持部５１に、鍔部３２２に設けられている複数の差込部３２４がそれぞれ差し込まれることで取付板５に取り付けられている（図４及び図５参照）。支持部５１は、取付板５の下面において、光源モジュール３０の前後両側に、光源モジュール３０の長手方向に沿って並ぶように２つずつ配置されている。つまり、支持部５１は、カバー本体３２の一対の鍔部３２２に２つずつ設けられている差込部３２４と１対１に対応している。なお、支持部５１は、１つの側面（差込口）が開放された角錐台形状に形成されている。例えば、支持部５１は、取付板５に直線状の切り込み（ランス）が設けられ、切り込みの片側が下向きにプレスされることで形成されることが好ましい。カバー本体３２は、一対の鍔部３２２の合計４つの差込部３２４が、それぞれ対応する４つの支持部５１に差し込まれて支持されることで取付板５に取り付けられている。ここで、反射部材７は、一対の固定片７２がカバー本体３２の鍔部３２２に重ねられ、取付板５に設けられているねじ挿通孔に上から挿通されるねじがねじ孔７２０にねじ込まれることにより、取付板５に取り付けられている。したがって、カバー本体３２の鍔部３２２は、反射部材７の固定片７２と取付板５（の下面）との間に挟み込まれている。反射部材７の固定片７２と取付板５と間に鍔部３２２が挟み込まれるので、差込部３２４が支持部５１から抜け難くなり、取付板５に対するカバー本体３２の取付強度の向上が図られている。
【００２４】
カバーエンド３３は、カバー本体３２と同じくアクリル樹脂やポリカーボネート樹脂などの合成樹脂で形成されている。カバーエンド３３は、図４及び図５に示すように、主壁部３３０、ベース部３３１、周壁部３３２、第１凹部３３３、第２凹部３３４、一対の突起３３５、一対の取付爪３３６並びに一対の保持部３３７を有している。主壁部３３０は、カバー本体３２の主部３２０及び一対の側壁部３２１を長手方向（左右方向）からみた外形形状に相似する形状、具体的には、半円と長方形を繋げた形状に形成されている（図４参照）。ベース部３３１は、上下方向から見ると矩形板状であり、主壁部３３０の上端から、主壁部３３０の厚み方向（左右方向）に突出するように主壁部３３０と一体に形成されている。周壁部３３２は、主壁部３３０の周縁に沿ってベース部３３１と同じ側に突出し、かつ、湾曲した板状に形成されている（図５参照）。
【００２５】
第１凹部３３３は、ベース部３３１の上面における前後方向のほぼ中央、かつ、左右方向の主壁部３３０側の端に寄せて設けられている。第１凹部３３３は、上下方向から見て矩形の箱状に形成されている。ただし、第１凹部３３３は、上面と主壁部３３０側の側面とが開放されている（図４参照）。また、下方から見ると、第１凹部３３３は、矩形板状の底壁３３３０と、一対の側壁３３３１と、隔壁３３３２とを有している（図５参照）。なお、隔壁３３３２は、左右方向に沿って主壁部３３０とほぼ平行している。第２凹部３３４は、ベース部３３１の上面における前後方向のほぼ中央、かつ、左右方向の主壁部３３０と反対側の端に寄せて設けられている。第２凹部３３４は、上面及び左右両面が開放された溝状に形成されている。ただし、第２凹部３３４は、第１凹部３３３よりも前後方向の幅が狭く、かつ、第１凹部３３３の隔壁３３３２と繋がっている（図４参照）。また、下方から見ると、第２凹部３３４は、矩形板状の突出片３３４０を有している（図５参照）。
【００２６】
一対の突起３３５は、ベース部３３１の上面における、主壁部３３０側の左右両端に設けられている。また、一対の突起３３５は、上下方向から見た形状がＴ字状となる柱状に形成されている。これら一対の突起３３５は、取付板５に設けられている一対の位置決め孔に挿通される。
【００２７】
一対の取付爪３３６は、ベース部３３１の上面における、第２凹部３３４の前後両側に設けられている。また、一対の取付爪３３６は、鉤形に形成されており、先端部分をベース部３３１の端から突出させている（図５参照）。
【００２８】
一対の保持部３３７は、ベース部３３１の上面における左右方向のほぼ中央に設けられている。また、一対の保持部３３７は、矩形板状に形成されており、長手方向のほぼ中央から先の部分をベース部３３１の前後両端から突出させている（図４参照）。なお、一対の保持部３３７は、ベース部３３１の外に突出している部分に保持孔３３７０を有している。保持孔３３７０は、保持部３３７を厚み方向（上下方向）に貫通し、かつ、保持部３３７の先端側の部分が切り欠かれている。つまり、保持孔３３７０は、切り欠かれている部分を通して電線が挿通可能となるように構成されている。
【００２９】
カバーエンド３３は、一対の取付爪３３６を、取付板５に設けられている一対の孔５０３（図２及び図３参照）に挿入し、かつ、取付板５の上面側における孔５０３の周囲に引っ掛けることにより、取付板５に取り付けられる（図６〜図８参照）。ただし、カバーエンド３３は、組立作業の順番として、カバー本体３２よりも先に取付板５に取り付けられる。
【００３０】
取付板５に取り付けられたカバーエンド３３において、第１凹部３３３の隔壁３３３２の上端及び第２凹部３３４の突出片３３４０の上面が基板３０１の下面と接触し、かつ、ベース部３３１の上面が取付板５（の下面）と接触している（図９参照）。つまり、カバーエンド３３は、光源モジュール３０の基板３０１の端部（コネクタ３０２が実装され、かつ、ＬＥＤ３００が実装されていない端部）を第１凹部３３３内に収容している。ここで、第１凹部３３３は、主壁部３３０において外に開放されている（図１０参照）。したがって、コネクタ３０２が実装されている基板３０１の端部は、取付板５とカバー３１（カバー本体３２とカバーエンド３３）で囲まれている空間の外に配置されることになる。
【００３１】
ここで、光源モジュール３０のコネクタ３０２は、電源装置４から直流電力が給電される給電路となる電線と電気的に接続される。したがって、仮に、コネクタ３０２が取付板５とカバー３１で囲まれている空間内に配置された場合、取付板５又はカバー３１に電線用の孔が必要となる。しかしながら、このような孔が取付板５又はカバー３１に設けられる場合、その孔を通して、カバー３１内（取付板５とカバー３１で囲まれている空間内）に虫などの異物が進入する可能性がある。
【００３２】
一方、本実施形態に係る照明器具Ｘは、取付板５とカバー３１で囲まれている空間の外にコネクタ３０２を配置しているので、取付板５及びカバー３１に電線用の孔を設ける必要がなく、カバー３１内への虫などの異物の進入を防止することができる。
【００３３】
ここで、取付板５は、カバーエンド３３の第１凹部３３３及び一対の保持部３３７と上下方向に対向する箇所に、上向き（カバーエンド３３から離れる向き）に凹んだ凹部５２を有している（図６、図９、図１１参照）。凹部５２は、取付板５がプレス加工されることによって、半円筒形状に形成されている（図９参照）。また、凹部５２は、上下方向から見て、一対の保持部３３７の先端部分と重なる長さに形成されている（図６及び図７参照）。
【００３４】
したがって、給電路となる電線は、カバーエンド３３の第１凹部３３３内でコネクタ３０２と電気的に接続されて取付板５の凹部５２内に収容され、凹部５２の長手方向の端から凹部５２の外に引き出される。このとき、保持部３３７は、保持孔３３７０に挿通される電線を保持している。つまり、電線が保持孔３３７０に挿通されて保持部３３７に保持されなければ、例えば、カバー本体３２やカバーエンド３３と取付板５との間に電線が挟み込まれてしまうおそれがある。しかしながら、本実施形態に係る照明器具Ｘは、保持部３３７に電線を保持させているため、カバー本体３２やカバーエンド３３と取付板５との間に電線が挟み込まれる可能性を低くすることができる。
【００３５】
ところで、光源モジュール３０のＬＥＤ３００から放射される光（光束）の一部は、カバーエンド３３（の主壁部３３０）を通してカバー３１の外に放射される。したがって、基板３０１の長手方向の最も端に実装されているＬＥＤ３００から放射される光が、カバーエンド３３の隔壁３３３２で遮られた場合、カバー３１の外から見て、カバーエンド３３の主壁部３３０に隔壁３３３２の陰が生じてしまう可能性がある。
【００３６】
そこで、カバーエンド３３は、基板３０１の長手方向の最も端に実装されているＬＥＤ３００から放射されて主壁部３３０に直接到達する光を遮らない高さに隔壁３３３２が形成されていることが好ましい。隔壁３３３２が上述のような高さに構成されれば、基板３０１の長手方向の最も端に実装されているＬＥＤ３００から放射される光は、隔壁３３３２に遮られることなく、直接主壁部３３０に到達する（図９における実線の矢印α参照）。その結果、カバー３１の外から見て、カバーエンド３３の主壁部３３０に隔壁３３３２の陰が生じない。
【００３７】
上述のように本実施形態に係る照明器具Ｘは、１つ又は複数の光源モジュール３０と、前面（下面）に光源モジュール３０が取り付けられる取付板５とを有している。また、本実施形態に係る照明器具Ｘは、透光性を有する材料で形成され、光源モジュール３０を前方から覆うように取付板５の前面に取り付けられるカバー３１を有している。光源モジュール３０は、長尺の基板３０１と、基板３０１の前面（下面）に実装されている複数の固体発光素子（ＬＥＤ３００）と、基板３０１の長手方向の一方の端部の前面に実装されている１つ又は複数のコネクタ３０２とを備えている。コネクタ３０２は、基板３０１に形成されている導体を介して複数の固体発光素子（ＬＥＤ３００）と電気的に接続されている。カバー３１は、前方から見て光源モジュール３０を覆う長尺のカバー本体３２と、カバー本体３２の長手方向の端に設けられているカバーエンド３３とを有している。カバーエンド３３は、基板３０１の厚み方向（上下方向）に沿って起立し、かつ、後端（下端）が基板３０１の前面に接触している隔壁３３３２を有している。コネクタ３０２が実装されている基板３０１の端部は、取付板５とカバー３１で囲まれている空間の外に配置されている。
【００３８】
本実施形態に係る照明器具Ｘが上述のように構成されれば、取付板５とカバー３１で囲まれている空間の外にコネクタ３０２を配置しているので、カバー３１に電線用の孔を設ける必要がなく、カバー３１内への虫などの異物の進入を防止することができる。
【００３９】
また、本実施形態に係る照明器具Ｘにおいて、カバーエンド３３は、隔壁３３３２の後端（上端）から突出する突出片３３４０を有することが好ましい。突出片３３４０は、板状に形成されて厚み方向の片側の面（上面）で基板３０１の前面（下面）と接触していることが好ましい。
【００４０】
本実施形態に係る照明器具Ｘが上述のように構成されれば、カバーエンド３３と基板３０１の前面（下面）との接触面積が増えるので、カバー３１内への異物の進入をさらに防ぐことができる。
【００４１】
さらに、本実施形態に係る照明器具Ｘにおいて、カバーエンド３３は、隔壁３３３２と繋がってコネクタ３０２の周囲を囲う壁（底壁３３３０及び一対の側壁３３３１）を有していることが好ましい。
【００４２】
本実施形態に係る照明器具Ｘが上述のように構成されれば、充電部となるコネクタ３０２に人が触れ難くなり、安全性の向上を図ることができる。
【００４３】
また、本実施形態に係る照明器具Ｘにおいて、コネクタ３０２は、給電用の電線と電気的に接続されていることが好ましい。カバーエンド３３は、電線を保持する保持部３３７を有していることが好ましい。
【００４４】
本実施形態に係る照明器具Ｘが上述のように構成されれば、カバー本体３２やカバーエンド３３と取付板５との間に電線が挟み込まれる可能性を低くすることができる。
【００４５】
さらに、本実施形態に係る照明器具Ｘにおいて、カバーエンド３３は、カバー本体３２の長手方向の端面を塞ぐ主壁部３３０を有することが好ましい。隔壁３３３２は、固体発光素子（ＬＥＤ３００）から放射されて主壁部３３０に直接到達する光を遮らない高さに形成されていることが好ましい。
【００４６】
本実施形態に係る照明器具Ｘが上述のように構成されれば、カバー３１の外から見て、カバーエンド３３の主壁部３３０に隔壁３３３２の陰が生じない。
【符号の説明】
【００４７】
Ｘ  照明器具
１  器具本体
５  取付板
３０  光源モジュール
３１  カバー
３２  カバー本体
３３  カバーエンド
３００  ＬＥＤ（固体発光素子）
３０１  基板
３０２  コネクタ
３３０  主壁部
３３７  保持部
３３３０  底壁（壁）
３３３１  側壁（壁）
３３３２  隔壁
３３４０  突出片
【図１】
0006590279.tif 000002
【図２】
0006590279.tif 000003
【図３】
0006590279.tif 000004
【図４】
0006590279.tif 000005
【図５】
0006590279.tif 000006
【図６】
0006590279.tif 000007
【図７】
0006590279.tif 000008
【図８】
0006590279.tif 000009
【図９】
0006590279.tif 000010
【図１０】
0006590279.tif 000011
【図１１】
0006590279.tif 000012